(57)【要約】      （修正有）【課題】ＯＡＤＭノードを含む波長分割多重通信システムにおいて，インターリーバの挿入による立ち上げ実施例のプリアンプの利得設定に対する影響を回避する。【解決手段】複数のＯＡＤＭノードのそれぞれは，波長多重された光信号を奇数波長と偶数波長に分割する第１のインターリーバと，前記インターリーバにより分割出力される奇数波長と偶数波長のグループの光信号に対応して設けられる第１及び，第２の系を有し，前記第１及び，第２の系のそれぞれは，プリアンプと，波長多重分離部と，分岐挿入部と，ポストアンプとを有する。更に，前記第１及び，第２の系のポストアンプの出力を合成する第２のインターリーバを有し，立ち上げ時に，前記後段のＯＡＤＭノードの第１のインターリーバの入力におけるレベルと前記プリアンプの所定利得との差分に対応して，前記前段のＯＡＤＭノードのポストアンプから送出されるＡＳＥ光のレベルを大きく設定する。【選択図】  図８
2006254154.tif 000002
【特許請求の範囲】
【請求項１】
複数のＯＡＤＭノードを光ファイバ伝送路で接続し，波長分割多重された光信号を伝送する波長分割多重通信システムにおいて，
前記複数のＯＡＤＭノードのそれぞれは，
複数の波長が多重された光信号を奇数波長と偶数波長に分割する第１のインターリーバと，
前記インターリーバにより分割出力される奇数波長と偶数波長のグループの光信号に対応して設けられる第１及び，第２の系を有し，
前記第１及び，第２の系のそれぞれは，
所定利得で前記分割された奇数波長又は偶数波長のグループの波長多重された光信号を増幅するプリアンプと，
前記プリアンプにより増幅された波長多重された光信号を波長分離する波長多重分離部と，
波長多重分離部で分離された複数波長の内，所定の波長を透過又は，分岐挿入する分岐挿入部と，
前記透過及び挿入される波長を波長多重する波長多重化部と，
前記波長多重化部の出力を増幅するポストアンプを有し，
更に，前記第１及び，第２の系のポストアンプの出力を合成する第２のインターリーバを有し，
前段のＯＡＤＭノードのポストアンプから送出されるＡＳＥ光を用いて，後段のＯＡＤＭノードの前記プリアンプが所定利得を有するように設定する立ち上げ時に，前記後段のＯＡＤＭノードの第１のインターリーバの入力におけるレベルと前記プリアンプの所定利得との差分に対応して，前記前段のＯＡＤＭノードのポストアンプから送出されるＡＳＥ光のレベルを大きく設定する
ことを特徴とする波長分割多重通信システム。
【請求項２】
複数のＯＡＤＭノードを光ファイバ伝送路で接続し，波長分割多重された光信号を伝送する波長分割多重通信システムにおいて，
前記複数のＯＡＤＭノードのそれぞれは，
複数の波長が多重された光信号を奇数波長と偶数波長に分割する第１のインターリーバと，
前記インターリーバにより分割出力される奇数波長と偶数波長のグループの光信号に対応して設けられる第１及び，第２の系を有し，
前記第１及び，第２の系のそれぞれは，
所定利得で前記分割された奇数波長又は偶数波長のグループの波長多重された光信号を増幅するプリアンプと，
前記プリアンプにより増幅された波長多重された光信号を波長分離する波長多重分離部と，
波長多重分離部で分離された複数波長の内，所定の波長を透過又は，分岐挿入する分岐挿入部と，
前記透過及び挿入される波長を波長多重する波長多重化部と，
前記波長多重化部の出力を増幅するポストアンプと，
前記第１及び，第２の系のポストアンプの出力を合成する第２のインターリーバを有し，
更に，前記第１及び，第２のインターリーバの入力及び出力ポートに光スイッチを有し，
前段のＯＡＤＭノードのポストアンプから送出されるＡＳＥ光を用いて，後段のＯＡＤＭノードの前記プリアンプが所定利得を有するように設定する立ち上げ時に，前記第１及び，第２のインターリーバの入力及び出力ポートに有する光スイッチは，前記入力ポートから出力ポートに前記第１及び，第２のインターリーバをバイパスして接続するように切り換え制御されることを特徴とする波長分割多重通信システム。
【請求項３】
請求項２において，
前記第１及び，第２のインターリーバをバイパスする前記第１及び，第２のインターリーバの入力及び出力ポート間にアッテネータを有することを特徴とする波長分割多重通信システム。
【請求項４】
請求項３において，
前記アッテネータによるレベルの減衰の大きさが約３ｄＢに設定されていることを特徴とする波長分割多重通信システム。
【請求項５】
複数のＯＡＤＭノードを光ファイバ伝送路で接続し，波長分割多重された光信号を伝送する波長分割多重通信システムにおいて，
前記複数のＯＡＤＭノードのそれぞれは，
複数の波長が多重された光信号を奇数波長と偶数波長に分割する第１のインターリーバと，
前記インターリーバにより分割出力される奇数波長と偶数波長のグループの光信号に対応して設けられる第１及び，第２の系を有し，
前記第１及び，第２の系のそれぞれは，
所定利得で前記分割された奇数波長又は偶数波長のグループの波長多重された光信号を増幅するプリアンプと，
前記プリアンプにより増幅された波長多重された光信号を波長分離する波長多重分離部と，
波長多重分離部で分離された複数波長の内，所定の波長を透過又は，分岐挿入する分岐挿入部と，
前記透過及び挿入される波長を波長多重する波長多重化部と，
前記波長多重化部の出力を増幅するポストアンプと，
前記第１及び，第２の系のポストアンプの出力を合成する第２のインターリーバを有し，更に，前記第１のインターリーバの入力側に可変減衰器を有し，
前段のＯＡＤＭノードのポストアンプから送出されるＡＳＥ光を用いて，後段のＯＡＤＭノードの前記プリアンプが所定利得を有するように設定する立ち上げ時に，前記可変減衰器の減衰量を零に設定する
ことを特徴とする波長分割多重通信システム。
【発明の詳細な説明】
【技術分野】
【０００１】
本発明は，波長分割多重システムに関し，特にＡＳＥ（Amplified Spontaneous Emission）光を用いてプリアンプの利得設定を行う機能を有する波長分割多重システムに関する。
【背景技術】
【０００２】
近年，光伝送技術として波長分割多重伝送 (ＷＤＭ:Wavelength Division Multiplexing)技術が広く用いられている。ＷＤＭ技術は，波長の異なる光(例えば，40〜1OO波)を多重して，1本の光ファイバで複数の信号を同時に伝送する方式である。
【０００３】
かかるＷＤＭ伝送システムの概念構成を図１に示す。図１Ａは，システム構成であり，図１Ｂは，信号レベルの変化を説明する図である。
【０００４】
図１Ａに示すように，ＷＤＭ伝送システムの光ファイバ伝送路１３０，１３１上には，ノード１００，１２０が設けられ，ノード１００,１２０間に中継ノード１１０が設けられる。ノード１００,１２０は,ＷＤＭ信号に対して，特定の波長の光信号をそのまま通過（透過）させたり，分岐(Drop)させたり，挿入(Add)させたりするＯＡＤＭ(0ptical Add Drop Multiplexing)機能を有するＯＡＤＭノードである。
【０００５】
ＯＡＤＭノード１００,１２０には，入力側にプリアンプユニット１，出力側にポストアンプユニット５が設けられる。中継ノード１１０は，インラインアンプを有している。
【０００６】
ＯＡＤＭノード１００,１２０において，波長分割多重された光信号が多重分離回路２で，波長毎に分離される。ついで，挿入分岐回路３で，波長毎に透過，分岐又は挿入される。さらに，多重化回路４でＯＡＤＭノード１００を透過する波長及び，挿入分岐回路３で挿入された波長が多重化され，ポストアンプユニット５に入力され，光ファイバ伝送路１３０に送出される。
【０００７】
ここで，光ファイバ伝送路１３０上に光アンプ（プリアンプユニット１，ポストアンプユニット５及びインラインアンプユニット１１０）が配置されるＷＤＭ伝送システムにおいて，その初期立ち上げ，障害及び回線断の復旧時，波長の再設定時あるいは，保守者が主信号系のケーブルを誤って抜去した際等において，これら光アンプに対し所定利得となるように，設定することが必要である。
【０００８】
かかる利得設定は，送信側のポストアンプユニット５で１波相当レベルの雑音光（ＡＳＥ：Amplified Spontaneous Emission）を発生させ，その光を利用して行うことが知られている。
【０００９】
たとえば，ＡＳＥ光を用いて，アンプの利得を設定する方法としてＡＧＣ（Automatic gain Control）モードとＡＬＣ（Automatic Level Control）モードの２つの制御モードを有するプリアンプと，ＡＳＥモード（ＡＳＥ光の出力レベルを多重波長数相当になるように設定するモード）とＡＧＣモードの２つの制御モードを有するポストアンプを用いて前記ＡＳＥ光を利用して次段ノードのプリアンプの利得を設定する方法の発明（特許文献１），後段局からのＡＳＥ光出力要求に基づき，前段局から透過光及び挿入光を遮断してＡＳＥ光を出力し，前記後段局の受信用アンプ（プリアンプ）の利得設定する発明（特許文献２）等がある。
【００１０】
また，ＡＳＥ光を利用したＷＤＭシステムにおける立ち上げの方法の一例についても本出願人が先の特許出願（特願平１６−００７８５７）において提案している。
【００１１】
すなわち，ＡＳＥ光を利用した立ち上げによって，図１Ｂに示すように，後段局のアンプの所要利得（ゲイン）を得ることが可能である。図１Ｂにおいて，（ａ）は，ＯＡＤＭノード１００のポストアンプユニット５からのＡＳＥ光の出力レベルである。（ｂ）は，インラインアンプユニット１１０の入力レベルであり，光ファイバ伝送路１３０を通過する間に伝送路損失により入力レベルが下がっている。インラインアンプユニット１１０はこの入力ＡＳＥ光を検出し，所定の利得となるように増幅する。そして，その出力レベルは，（ｃ）のように，例えば，ＯＡＤＭノード１００のポストアンプユニット５の出力レベル相当に調整される。
【００１２】
ついで，インラインアンプユニット１１０から送出されたＡＳＥ光のレベルは，同様にＯＡＤＭノード１２０のプリアンプユニット１に到達するまでに光ファイバ伝送路１３１の伝送路損失によりレベルが下がり（ｄ）の入力信号レベルとなる。ＯＡＤＭノード１２０では，この入力ＡＳＥ光を検出し，所定の利得となるようにプリアンプユニット１を調整する。したがって，（e）に示すように所要利得を得ることができる。
【００１３】
ここで，ＷＤＭ伝送システムにおいては，１波長あたりの伝送コストを下げ，電送信号帯域の拡大を図る目的で同一帯域内に高密度に波長を配置する要求がある。かかる要求に応える一方式としてインターリーバを用いることが提案されている。インターリーバは，一例として特許文献３に記載されるように２つの偏向分離器とエタロンユニットを有する波長分離部を主要素として構成され，可逆性を有する光学部品である。インターリーバにより波長多重光を奇数波長（奇数チャネルの波長）光及び偶数波長（偶数チャネルの波長）光に分波することができる。（特許文献３，図２及び[００２１]〜[００３１]）さらに，可逆性を有するので，奇数波長光及び偶数波長光入力を交互に多重して出力することもできる。
【００１４】
しかし，インターリーバの特性として波長多重光を奇数波長光及び偶数波長光に分波する場合，出力レベルが半減（約３ｄＢのレベル低下）する。このために先に説明した従来のプリアンプの利得設定はそのままでは行えないという問題が有る。
【００１５】
また，近年，波長分割多重システムにおいて，ＯＡＤＭノードにおいて，各波長が所定の受信レベル範囲に入るように調整するための分散補償器としてＶＩＰＡを用いることが提案されている。かかるＶＩＰＡにおいてもインターリーバと同様に所定波長間隔でレベルが半減する特性を有している。
【００１６】
したがって，ＶＩＰＡの挿入された伝送路区間においてＡＳＥ光によるプリアンプの利得調整を行う場合は，上記に説明したインターリーバを用いる場合と同様にプリアンプの利得設定はそのままでは行えないという問題が有る。
【特許文献１】特開２００４−２３４３７号公報
【特許文献２】特開２００４−１８７０７１号公報
【発明の開示】
【発明が解決しようとする課題】
【００１７】
したがって，本発明の目的は，ＷＤＭ伝送システムにおいて，インターリーバあるいはＶＩＰＡを用いる場合のプリアンプの利得設定における問題を解決することにある。
【課題を解決するための手段】
【００１８】
かかる本発明の課題を解決するＷＤＭ伝送システムは，第１の態様として，複数のＯＡＤＭノードを光ファイバー伝送路で接続し，波長分割多重された光信号を伝送する波長分割多重通信システムにおいて，前記複数のＯＡＤＭノードのそれぞれは，複数の波長が多重された光信号を奇数波長と偶数波長に分割する第１のインターリーバと，前記インターリーバにより分割出力される奇数波長と偶数波長のグループの光信号に対応して設けられる第１及び，第２の系を有し，前記第１及び，第２の系のそれぞれは，所定利得で前記分割された奇数波長又は偶数波長のグループの波長多重された光信号を増幅するプリアンプと，前記プリアンプにより増幅された波長多重された光信号を波長分離する波長多重分離部と，波長多重分離部で分離された複数波長の内，所定の波長を透過又は，分岐挿入する分岐挿入部と，前記透過及び挿入される波長を波長多重する波長多重化部と，前記波長多重化部の出力を増幅するポストアンプを有し，更に，前記第１及び，第２の系のポストアンプの出力を合成する第２のインターリーバを有し，前段のＯＡＤＭノードのポストアンプから送出されるＡＳＥ光を用いて，後段のＯＡＤＭノードの前記プリアンプが所定利得を有するように設定する立ち上げ時に，前記後段のＯＡＤＭノードの第１のインターリーバの入力におけるレベルと前記プリアンプの所定利得との差分に対応して，前記前段のＯＡＤＭノードのポストアンプから送出されるＡＳＥ光のレベルを大きく設定することを特徴とする。
【００１９】
上記本発明の課題を解決するＷＤＭ伝送システムは，第２の態様として，第１の態様において，前記前段のＯＡＤＭノードのポストアンプから送出されるＡＳＥ光のレベルを大きく設定する大きさは，約３ｄＢの大きさであることを特徴とする。
【００２０】
上記本発明の課題を解決するＷＤＭ伝送システムは，第３の態様として，複数のＯＡＤＭノードを光ファイバー伝送路で接続し，波長分割多重された光信号を伝送する波長分割多重通信システムにおいて，前記複数のＯＡＤＭノードのそれぞれは，複数の波長が多重された光信号を奇数波長と偶数波長に分割する第１のインターリーバと，前記インターリーバにより分割出力される奇数波長と偶数波長のグループの光信号に対応して設けられる第１及び，第２の系を有し，前記第１及び，第２の系のそれぞれは，所定利得で前記分割された奇数波長又は偶数波長のグループの波長多重された光信号を増幅するプリアンプと，前記プリアンプにより増幅された波長多重された光信号を波長分離する波長多重分離部と，波長多重分離部で分離された複数波長の内，所定の波長を透過又は，分岐挿入する分岐挿入部と，前記透過及び挿入される波長を波長多重する波長多重化部と，前記波長多重化部の出力を増幅するポストアンプと，前記第１及び，第２の系のポストアンプの出力を合成する第２のインターリーバを有し，更に，前記第１及び，第２のインターリーバの入力及び出力ポートに光スイッチを有し，前段のＯＡＤＭノードのポストアンプから送出されるＡＳＥ光を用いて，後段のＯＡＤＭノードの前記プリアンプが所定利得を有するように設定する立ち上げ時に，前記第１及び，第２のインターリーバの入力及び出力ポートに有する光スイッチは，前記入力ポートから出力ポートに前記第１及び，第２のインターリーバをバイパスして接続するように切り換え制御されることを特徴とする。
【００２１】
上記本発明の課題を解決するＷＤＭ伝送システムは，第４の態様として，第３の態様において，前記第１及び，第２のインターリーバをバイパスする前記第１及び，第２のインターリーバの入力及び出力ポート間にアッテネータを有することを特徴とする。
【００２２】
上記本発明の課題を解決するＷＤＭ伝送システムは，第５の態様として，第４の態様において，前記アッテネータによるレベルの減衰の大きさが約３ｄＢに設定されていることを特徴とする。
【００２３】
上記本発明の課題を解決するＷＤＭ伝送システムは，第６の態様として，複数のＯＡＤＭノードを光ファイバー伝送路で接続し，波長分割多重された光信号を伝送する波長分割多重通信システムにおいて，前記複数のＯＡＤＭノードのそれぞれは，複数の波長が多重された光信号を奇数波長と偶数波長に分割する第１のインターリーバと，前記インターリーバにより分割出力される奇数波長と偶数波長のグループの光信号に対応して設けられる第１及び，第２の系を有し，前記第１及び，第２の系のそれぞれは，所定利得で前記分割された奇数波長又は偶数波長のグループの波長多重された光信号を増幅するプリアンプと，前記プリアンプにより増幅された波長多重された光信号を波長分離する波長多重分離部と，波長多重分離部で分離された複数波長の内，所定の波長を透過又は，分岐挿入する分岐挿入部と，前記透過及び挿入される波長を波長多重する波長多重化部と，前記波長多重化部の出力を増幅するポストアンプと，前記第１及び，第２の系のポストアンプの出力を合成する第２のインターリーバを有し，更に，前記第１のインターリーバの入力側に可変減衰器を有し，前段のＯＡＤＭノードのポストアンプから送出されるＡＳＥ光を用いて，後段のＯＡＤＭノードの前記プリアンプが所定利得を有するように設定する立ち上げ時に，前記可変減衰器の減衰量を零に設定することを特徴とする。
【００２４】
上記本発明の課題を解決するＷＤＭ伝送システムは，第７の態様として，第６の態様において，前記可変減衰器の減衰量を前記立ち上げ時以降の通常運用時は，約３ｄＢ減とすることを特徴とする。
【００２５】
上記本発明の課題を解決するＷＤＭ伝送システムは，第８の態様として，複数のＯＡＤＭノードを光ファイバ伝送路で接続し，波長分割多重された光信号を伝送する波長分割多重通信システムにおいて，前記複数のＯＡＤＭノードのそれぞれは，所定利得で波長多重された光信号を増幅するプリアンプと，前記プリアンプにより増幅された波長多重された光信号を波長分離する波長多重分離部と，波長多重分離部で分離された複数波長の内，所定の波長を透過又は，分岐挿入する分岐挿入部と，前記透過及び挿入される波長を波長多重する波長多重化部と，前記波長多重化部の出力を増幅するポストアンプを有し，さらに，前記ＯＡＤＭノードの入力側にＶＩＰＡを備え，前段のＯＡＤＭノードのポストアンプから送出されるＡＳＥ光を用いて，後段のＯＡＤＭノードの前記プリアンプが所定利得を有するように設定する立ち上げ時に，前記後段のＯＡＤＭノードの入力側に備えられるＶＩＰＡの出力レベルと前記プリアンプの所定利得との差分に対応して，前記前段のＯＡＤＭノードのポストアンプから送出されるＡＳＥ光のレベルを大きく設定することを特徴とする。
【００２６】
本発明の特徴は，以下に図面に従い説明する実施の形態例から更に明らかになる。
【発明の効果】
【００２７】
本発明により，ＡＳＥ光によるプリアンプの利得設定を困難とすることなく，インターリーバ及びＶＩＰＡを用いることが可能となるので，波長分割多重伝送システムにおいて同一帯域内に高密度に波長を配置する要求に応えることが可能である。
【発明を実施するための最良の形態】
【００２８】
以下に図面に従い，本発明の実施の形態例を説明する。なお，本発明の説明において，図面に示される実施の形態例は，本発明の理解のためのものであり，本発明の技術的範囲がこれに限定されるものではない。
【００２９】
図２は，本発明を適用する，インターリーバを用いた光伝送システムの構成図である。なお，図１と対比するとき，本発明において中継ノード１１０は直接関係を有しないので説明を簡単化するために図示を省略している。
【００３０】
ＯＡＤＭノード１００，１２０のそれぞれは，実施例として二系統に構成され，それぞれ図１に示す構成と同様に，入力側にプリアンプユニット１ａ（１ｂ），出力側にポストアンプユニット５ａ（５ｂ）が設けられている。さらに，波長分割多重光信号は，多重分離回路２ａ（２ｂ）で波長毎に分離される。ついで，挿入分岐回路３ａ（３ｂ）で，波長毎に透過，分岐又は挿入される。さらに，多重化回路４ａ（４ｂ）で，ＯＡＤＭノード１００を透過する波長及び，挿入分岐回路３で挿入された波長が多重化される。
【００３１】
さらに，第１のインターリーバ６がプリアンプユニット１ａ，１ｂの前段に，そして第２のインターリーバ７がポストアンプユニット５ａ，５ｂの後段に配置される。
【００３２】
図３，図４は，インターリーバ６，７の動作を更に説明する図である。
【００３３】
図３は，第１のインターリーバ６の動作を説明する図であり，波長多重された光信号を，奇数波長（奇数チャネルに相当する波長）と偶数波長（偶数波長に相当する波長）出力に分波出力する。インターリーバ６の入力端子（ａ）に入力される波長多重された光信号のスペクトラムＡは，ＡＳＥノイズ光レベルＡＬにチャネルＣｈ１〜Ｃｈｎの複数チャネル（波長）信号が重畳されている。
【００３４】
インターリーバ６は，奇数波長出力ポート（ｂ）への透過特性Ｄと，偶数波長出力ポート（ｃ）への透過特性Ｅを有している。したがって，出力ポート（ｂ）から出力される光信号は，奇数波長出力スペクトラムＢを有する。一方，出力ポート（ｃ）から出力される光信号は，偶数波長出力スペクトラムＣを有する。
【００３５】
図４は，第２のインターリーバ７の動作を説明する図であり，奇数波長と偶数波長の入力を波長合波して出力する。インターリーバ７の入力端子（ｂ），（ｃ）にそれぞれ入力される奇数波長と偶数波長の光信号は，それぞれ波長スペクトラムＢ，Ｃを有している。波長スペクトラムＢ，Ｃは，それぞれＡＳＥノイズ光レベルＡＬに対応して奇数，偶数の波長信号が重畳されている。
【００３６】
インターリーバ７は，インターリーバ６と可逆の特性を有し，ポート（ｂ）から入力される奇数波長の光信号に対し，奇数ポート透過特性Ｄを有し，ポート（ｃ）から入力される偶数波長の光信号に対し，偶数ポート透過特性Ｅを有し，波長多重出力ポート（ａ）からの出力は，奇数，偶数の波長多重された出力スペクトラムＡを有している。
【００３７】
出力スペクトラムＡにおいて，ＡＳＥノイズ光レベルＡＬにチャネルＣｈ１〜Ｃｈｎの複数チャネル（波長）信号が重畳されている。
【００３８】
図５は，ＡＳＥ光の電力レベルの変化を示す図である。図５において，ＯＡＤＭノード１００のポストアンプユニット５ａ（５ｂ）の出力におけるＡＳＥ光の電力レベルが“Ａ”であるとき，インターリーバ７のＡＳＥ光出力は，“Ｂ”のようになる。すなわち，奇，偶数交互に出力減衰が大きくなるので，ＡＳＥ光の出力スペクトラムは“Ｂ”に示すごとくである。
【００３９】
このときのＡＳＥ光のトータルレベル（所要レベルＬｒ）は，インターリーバ７の入力側のレベル“Ａ”と比較してほぼ半減（３ｄＢ低下）したレベルが実際のＡＳＥレベルＬａとなる。
【００４０】
したがって，光ファイバ伝送路１３０を伝送されたＡＳＥ光のプリアンプユニット１ａ（１ｂ）の入力レベルは，光ファイバー伝送路１３０の伝送路損失により，“Ｃ”の状態となる。すなわち，プリアンプユニット１ａ（１ｂ）の入力に要求されるＡＳＥレベルＬｒに比べ，実際のＡＳＥ光レベルＬａのレベルが小さくなる。
【００４１】
このように，所要のＡＳＥ光レベルＬｒと，インターリーバ通過後のＡＳＥ光レベルに差が生じる。
【００４２】
したがって，図５，“Ｄ”に示すように，本来プリアンプユニット１ａ（１ｂ）に要求される利得Ｇｒと，実際に設定されるために必要な利得Ｇｓとの間に差が生じてしまう。
【００４３】
実際，これまでの波長伝送システムにおいては，先の特許出願（特願平１６−００７８５７）で示したように，ＡＳＥ光を利用する立ち上げ方式では，その立ち上げの際に，ポストアンプユニット５ａ，（５ｂ）において，１波の信号光相当のＡＳＥ光を出力する。一方，プリアンプユニット１ａ（１ｂ）は，そのＡＳＥ光を用いて，利得の設定をおこなう。このとき，インターリーバを用いたシステムでは，偶数波長のインターリーバでは，それぞれの波長の隣接波長が除去されているため，ＡＳＥ光レベルは，およそ半減(約３ｄＢのレベル低下)する。このため，次段のプリアンプユニット１ａ（１ｂ）を所要の利得に設定することができないという問題が有る。
【００４４】
したがって，本発明は，かかる問題を解決するものである。
【００４５】
図６，図７は，それぞれポストアンプユニット５，プリアンプユニット１に対する立ち上げ時（プリアンプ利得設定時）と運用時の切換を説明する図である。
【００４６】
図６は，前段ＯＡＤＭノード１００のポストアンプユニット５の概略構成を示す図である。光スイッチ５０，ポストアンプモジュール５１及び，ＯＳＣカプラー５２が直列に接続されている。さらに，アンプ制御部５３は光スイッチ５０，ポストアンプモジュール５１の切り換えを制御する。
【００４７】
アンプ制御部５３は，光スイッチ５０から読み取った光スイッチの状態及び，ポストアンプモジュール５１の状態を図示しない装置制御部に通知する（ステップＳ１）。通知状態から装置制御部における判断に基づき，アンプ制御部５３に対し，ＡＳＥ立ち上げモードと通常運用モードの切り換え制御コマンドが送られる。
【００４８】
ＡＳＥ立ち上げモードのコマンドが送られると，アンプ制御部５３は，光スイッチ５０に対し，ポストアンプモジュール５１への入力を断とする側への切換を指示する（ステップＳ２）。さらに，ポストアンプモジュール５１に対しては，ＡＳＥ立ち上げモードに設定する（ステップＳ３）。
【００４９】
一方，監視制御信号であるＯＳＣ信号がカプラー５２により挿入され，後段のＯＡＤＭノード１２０に送られる。
【００５０】
図７は，プリアンプユニット１の構成であり，ＯＡＤＭノード１００から送信されたＯＳＣ信号がＯＳＣカプラー１０で分離され，図示しない装置制御部によりＡＳＥ立ち上げモードであることが判断される。
【００５１】
これにより装置制御部からＡＭＰ制御部１１に対しＡＳＥ立ち上げモードが通知される（ステップＳ１０）。ついで，ＡＭＰ制御部１１は，プリアンプモジュール１２に対し，ＡＳＥ立ち上げモード設定を行う（ステップＳ１１）。プリアンプモジュール１２は，受信されるＡＳＥ光のレベルに応じ，後に各実施例に従う基準により，所定レベルとなるように利得が設定され，立ち上げ設定処理が終了する。
【００５２】
なお，図７において，分散補償ファイバ（ＤＣＦ）が用いられる場合は，図示しない分散補償ファイバ（ＤＣＦ）に，端子（ＤＣＦＯＵＴ，ＤＣＦＩＮ）により接続され，所定の基準利得設定が行われる。
【００５３】
図８は，本発明に従う第１の実施例におけるＡＳＥ光の変化を，図５に対応して説明する図である。
【００５４】
図８において，図８Ａは，図５に対応してＡＳＥ光のレベル変化を示す図であり，図８Ｂは，これに対比される本発明によるＡＳＥ光のレベル変化を示す図である。
【００５５】
図８Ａ，図８Ｂにおいて，図２のＯＡＤＭノード１００のインターリーバ７から出力されるＡＳＥ光のレベルが“Ｂ”に示される。
【００５６】
図８Ａの“Ｂ”と本発明に従う図８Ｂの“Ｂ”との比較において，特徴は，図８Ｂにおいて，ポストアンプユニット５ａ（５ｂ）の利得が３ｄＢ高められており，ＡＳＥ光のレベルが３ｄＢ上昇していることである。これにより受信側であるＯＡＤＭノード１２０のインターリーバ６の入力側におけるレベルは，図８Ｂの“Ｃ”に示すようになる。すなわち，図８Ｂ，“Ｃ”に示すように，伝送路１３０を伝送された信号レベルは，送信側で３ｄＢ分送信レベルが高められているので，受信されるレベルもＬｇ分高められている。
【００５７】
したがって，本発明による場合は，ＯＡＤＭノード１２０のインターリーバ６により奇数，偶数に分波された出力のＡＳＥレベルは，図８Ａの実際のＡＳＥレベルＬａよりも所要ＡＳＥレベルＬｒに近い大きさとなる。したがって，プリアンプユニット１ａ（１ｂ）に要求される利得は，従来のインターリーバを備えない伝送システムに対するプリアンプの利得設定方法と同様とすることができる。
【００５８】
図９は，本発明の第２の実施例を示すインターリーバを使用する光伝送システムの構成図である。この実施例の特徴は，インターリーバ６，７のそれぞれの入力，出力ポートに光スイッチ６０−６２及び，７０−７２を設け，システムの立ち上げ時にインターリーバ６，７をバイパスできるようにした構成である。さらに，インターリーバ６，７をバイパスする回路にアッテネータ６３，６４及び，７３，７４が設けられている。アッテネータ６３，６４は，伝送路側光スイッチ６０からプリアンプユニット１ａ（１ｂ）の入力側光スイッチ６１，６２出力の通過損をインターリーバ６の通過損失と同じにするためのものである。同様に，アッテネータ７３，７４は，ポストアンプユニット５ａ（５ｂ）側光スイッチ７１，７２の入力から伝送路１０３側光スイッチ出力の通過損をインターリーバ７の通過損失と同じにするためのものである。
【００５９】
立ち上げ時即ち，プリアンプユニット１ａ（１ｂ）の利得設定時に光スイッチ６０〜６２及び，７０〜７２を切り換えてインターリーバ６，７を光信号がバイパスするように制御することにより，ＡＳＥ光が，半減（約３ｄＢ減）するということが避けられる。
【００６０】
すなわち，奇数，偶数チャネルで，光スイッチ７１−７０又は，光スイッチ７２−７０を通過するように制御し，同時に光スイッチ６０−６１又は，光スイッチ６０−６２を通過するように制御する。
【００６１】
図１０は，本発明の第３の実施例を示すインターリーバを使用する光伝送システムの構成図である。図１１は，図１０に示す実施例に対応するＡＳＥ光の電力レベルの変化を示す図である。
【００６２】
図１０に示す実施例は，インターリーバ６，７の存在により，立ち上げ時のＡＳＥが約３ｄＢ減するという事実を前提にして，立ち上げ後の運用時におけるプリアンプユニット１ａ（１ｂ）に入力する光信号レベルを約３ｄＢ減することを特徴とする。
【００６３】
すなわち，プリアンプユニット１ａ（１ｂ）の入力側にあるインターリーバ６の前段側に可変光アッテネータ８を設けている。このアッテネータ８の減衰量を図１１に示すように，ＡＳＥ光による立ち上げ時に３ｄＢ減らし，通常運用時に対し，３ｄＢのレベルアップをしている。
【００６４】
すなわち，これにより，等価的にインターリーバ６，７の挿入により，ＡＳＥ光が半減（約３ｄＢ減）した状態でプリアンプの利得設定が行われることによる影響を回避することができる。
【００６５】
ここで，上記実施例については，専らインターリーバを用いた波長分割多重通信システムを対象として説明した。しかし，本発明は，先に言及したようにインターリーバと同様に所定周波数周期で出力が半減する波長分散補償器としてのＶＩＰＡを使用するシステムにも適用が可能である。
【００６６】
図１２は，ＯＡＤＭノード１２０の入力側にＶＩＰＡ１３２が置かれた波長分割多重通信システムの例である。ＶＩＰＡ１３２の出力は，先に説明したように周期的に半減する特性を有している。
【００６７】
図１３は，かかるＶＩＰＡ１３２を伝送路途中に有する伝送路システムの各部の信号レベルを示す図である。さらに，図１３Ａは本発明を適用していない場合，図１３Ｂは本発明を適用した場合の各部の信号レベルを示している。
【００６８】
図１３Ａ，図１３Ｂにおいて，“Ｃ”は，ＶＩＰＡ１３２の出力側の信号レベルであり，周期的にレベルが半減するので，実際のＡＳＥレベルは，所要ＡＳＥレベルに対して半減している。したがって，プリアンプ１の利得は，所要利得Ｇｒでなく，それより大きいＧｓの利得に設定することが必要となる。
【００６９】
これに対し，図１３Ｂ，“Ａ”に示すように，本発明に従い，送信側で，ポストアンプユニット５の利得が３ｄＢ高められており，ＡＳＥ光のレベルが３ｄＢ上昇している。これにより受信側であるＯＡＤＭノード１２０のＶＩＰＡ１３２の入力側におけるレベルは，図１３Ｂの“Ｂ”に示すようになる。
【００７０】
すなわち，図１３Ｂ，“Ｂ”に示すように，伝送路１３０を伝送された信号レベルは，送信側で３ｄＢ分送信レベルが高められているので，ＶＩＰＡ１３２の入力側におけるレベルもＬｇ分高められている。
【００７１】
したがって，本発明による場合は，ＯＡＤＭノード１２０の入力側にあるＶＩＰＡ１３２により周期的に半減された出力のＡＳＥレベルは，図１３Ａの実際のＡＳＥレベルＬａよりも所要ＡＳＥレベルＬｒに近い大きさとなる。したがって，プリアンプユニット１ａ（１ｂ）に要求される利得は，従来のＶＩＰＡを備えない伝送システムに対するプリアンプの利得設定方法と同様とすることができる。
【００７２】
（付記１）
複数のＯＡＤＭノードを光ファイバ伝送路で接続し，波長分割多重された光信号を伝送する波長分割多重通信システムにおいて，
前記複数のＯＡＤＭノードのそれぞれは，
複数の波長が多重された光信号を奇数波長と偶数波長に分割する第１のインターリーバと，
前記インターリーバにより分割出力される奇数波長と偶数波長のグループの光信号に対応して設けられる第１及び，第２の系を有し，
前記第１及び，第２の系のそれぞれは，
所定利得で前記分割された奇数波長又は偶数波長のグループの波長多重された光信号を増幅するプリアンプと，
前記プリアンプにより増幅された波長多重された光信号を波長分離する波長多重分離部と，
波長多重分離部で分離された複数波長の内，所定の波長を透過又は，分岐挿入する分岐挿入部と，
前記透過及び挿入される波長を波長多重する波長多重化部と，
前記波長多重化部の出力を増幅するポストアンプを有し，
更に，前記第１及び，第２の系のポストアンプの出力を合成する第２のインターリーバを有し，
前段のＯＡＤＭノードのポストアンプから送出されるＡＳＥ光を用いて，後段のＯＡＤＭノードの前記プリアンプが所定利得を有するように設定する立ち上げ時に，前記後段のＯＡＤＭノードの第１のインターリーバの入力におけるレベルと前記プリアンプの所定利得との差分に対応して，前記前段のＯＡＤＭノードのポストアンプから送出されるＡＳＥ光のレベルを大きく設定する
ことを特徴とする波長分割多重通信システム。
【００７３】
（付記２）付記１において，
前記前段のＯＡＤＭノードのポストアンプから送出されるＡＳＥ光のレベルを大きく設定する大きさは，約３ｄＢの大きさであることを特徴とする波長分割多重通信システム。
【００７４】
（付記３）
複数のＯＡＤＭノードを光ファイバ伝送路で接続し，波長分割多重された光信号を伝送する波長分割多重通信システムにおいて，
前記複数のＯＡＤＭノードのそれぞれは，
複数の波長が多重された光信号を奇数波長と偶数波長に分割する第１のインターリーバと，
前記インターリーバにより分割出力される奇数波長と偶数波長のグループの光信号に対応して設けられる第１及び，第２の系を有し，
前記第１及び，第２の系のそれぞれは，
所定利得で前記分割された奇数波長又は偶数波長のグループの波長多重された光信号を増幅するプリアンプと，
前記プリアンプにより増幅された波長多重された光信号を波長分離する波長多重分離部と，
波長多重分離部で分離された複数波長の内，所定の波長を透過又は，分岐挿入する分岐挿入部と，
前記透過及び挿入される波長を波長多重する波長多重化部と，
前記波長多重化部の出力を増幅するポストアンプと，
前記第１及び，第２の系のポストアンプの出力を合成する第２のインターリーバを有し，
更に，前記第１及び，第２のインターリーバの入力及び出力ポートに光スイッチを有し，
前段のＯＡＤＭノードのポストアンプから送出されるＡＳＥ光を用いて，後段のＯＡＤＭノードの前記プリアンプが所定利得を有するように設定する立ち上げ時に，前記第１及び，第２のインターリーバの入力及び出力ポートに有する光スイッチは，前記入力ポートから出力ポートに前記第１及び，第２のインターリーバをバイパスして接続するように切り換え制御されることを特徴とする波長分割多重通信システム。
【００７５】
（付記４）付記３において，
前記第１及び，第２のインターリーバをバイパスする前記第１及び，第２のインターリーバの入力及び出力ポート間にアッテネータを有することを特徴とする波長分割多重通信システム。
【００７６】
（付記５）付記４において，
前記アッテネータによるレベルの減衰の大きさが約３ｄＢに設定されていることを特徴とする波長分割多重通信システム。
【００７７】
（付記６）
複数のＯＡＤＭノードを光ファイバ伝送路で接続し，波長分割多重された光信号を伝送する波長分割多重通信システムにおいて，
前記複数のＯＡＤＭノードのそれぞれは，
複数の波長が多重された光信号を奇数波長と偶数波長に分割する第１のインターリーバと，
前記インターリーバにより分割出力される奇数波長と偶数波長のグループの光信号に対応して設けられる第１及び，第２の系を有し，
前記第１及び，第２の系のそれぞれは，
所定利得で前記分割された奇数波長又は偶数波長のグループの波長多重された光信号を増幅するプリアンプと，
前記プリアンプにより増幅された波長多重された光信号を波長分離する波長多重分離部と，
波長多重分離部で分離された複数波長の内，所定の波長を透過又は，分岐挿入する分岐挿入部と，
前記透過及び挿入される波長を波長多重する波長多重化部と，
前記波長多重化部の出力を増幅するポストアンプと，
前記第１及び，第２の系のポストアンプの出力を合成する第２のインターリーバを有し，更に，前記第１のインターリーバの入力側に可変減衰器を有し，
前段のＯＡＤＭノードのポストアンプから送出されるＡＳＥ光を用いて，後段のＯＡＤＭノードの前記プリアンプが所定利得を有するように設定する立ち上げ時に，前記可変減衰器の減衰量を零に設定する
ことを特徴とする波長分割多重通信システム。
【００７８】
（付記７）付記６において，
前記可変減衰器の減衰量を前記立ち上げ時以降の通常運用時は，約３ｄＢ減とすることを特徴とする波長分割多重通信システム。
【００７９】
（付記８）
複数のＯＡＤＭノードを光ファイバ伝送路で接続し，波長分割多重された光信号を伝送する波長分割多重通信システムにおいて，
前記複数のＯＡＤＭノードのそれぞれは，
所定利得で波長多重された光信号を増幅するプリアンプと，
前記プリアンプにより増幅された波長多重された光信号を波長分離する波長多重分離部と，
波長多重分離部で分離された複数波長の内，所定の波長を透過又は，分岐挿入する分岐挿入部と，
前記透過及び挿入される波長を波長多重する波長多重化部と，
前記波長多重化部の出力を増幅するポストアンプを有し，
さらに，前記ＯＡＤＭノードの入力側にＶＩＰＡを備え，
前段のＯＡＤＭノードのポストアンプから送出されるＡＳＥ光を用いて，後段のＯＡＤＭノードの前記プリアンプが所定利得を有するように設定する立ち上げ時に，前記後段のＯＡＤＭノードの入力側に備えられるＶＩＰＡの出力レベルと前記プリアンプの所定利得との差分に対応して，前記前段のＯＡＤＭノードのポストアンプから送出されるＡＳＥ光のレベルを大きく設定する
ことを特徴とする波長分割多重通信システム。
【００８０】
（付記９）付記８において，
前記前段のＯＡＤＭノードのポストアンプから送出されるＡＳＥ光のレベルを大きく設定する大きさは，約３ｄＢの大きさであることを特徴とする波長分割多重通信システム。
【産業上の利用可能性】
【００８１】
上記に図面に従い説明したように，本発明に従い，インターリーバあるいはＶＩＰＡの挿入による立ち上げ時のプリアンプの利得設定に対する影響を回避できる。よって，インターリーバ及びＶＩＰＡの利用が可能であり，同一帯域内に高密度に波長を配置する要求に応えることができ，産業上利するところ大である。
【図面の簡単な説明】
【００８２】
【図１】ＷＤＭ伝送システムの概念構成を示す図である。
【図２】本発明の対象とするインターリーバを用いた光伝送システムの構成図である。
【図３】第１のインターリーバ６の動作を説明する図である。
【図４】第２のインターリーバ７の動作を説明する図である。
【図５】ＡＳＥ光の電力レベルの変化を示す図である。
【図６】ポストアンプユニット５に対する立ち上げ時（プリアンプ利得設定時）と運用時の切換を説明する図である。
【図７】プリアンプユニット１に対する立ち上げ時（プリアンプ利得設定時）と運用時の切換を説明する図である。
【図８】本発明に従う第１の実施例におけるＡＳＥ光の変化を，図５に対応して説明する図である。
【図９】本発明の第２の実施例を示すインターリーバを使用する光伝送システムの構成図である。
【図１０】本発明の第３の実施例を示すインターリーバを使用する光伝送システムの構成図である。
【図１１】図１０に示す実施例に対応するＡＳＥ光の電力レベルの変化を示す図である。
【図１２】ＯＡＤＭノードの入力側にＶＩＰＡが置かれた伝送路システムの例を示す図である。
【図１３】ＶＩＰＡを伝送路途中に有する波長分割多重通信システムの各部の信号レベルを示す図である。
【符号の説明】
【００８３】
１００，１２０  ＯＡＤＭノード
１１０  中継ノード
１，１ａ，１ｂ  プリアンプユニット
２  多重分離回路
３  挿入分岐回路
４  多重化回路
５  ポストアンプユニット
１３０，１３１  光ファイバ伝送路
【図１】
2006254154.tif 000003
【図２】
2006254154.tif 000004
【図３】
2006254154.tif 000005
【図４】
2006254154.tif 000006
【図５】
2006254154.tif 000007
【図６】
2006254154.tif 000008
【図７】
2006254154.tif 000009
【図８】
2006254154.tif 000010
【図９】
2006254154.tif 000011
【図１０】
2006254154.tif 000012
【図１１】
2006254154.tif 000013
【図１２】
2006254154.tif 000014
【図１３】
2006254154.tif 000015